(57)【要約】【課題】  メモリー性を有する画像表示媒体に画像を表示させる際に発生するドット不良を防ぐことができる画像表示装置を提供する。【解決手段】  画像表示媒体は、ライン状の複数のデータ電極３２が並置されて形成された表示基板と、データ電極３２と直交するライン状の複数の走査電極２６が並置されて配置された背面基板と、の間に黒色粒子及び白色粒子が封入された構成であり、基板間は間隙部材１８によりセル３６に仕切られている。駆動装置は、走査方向Ｓの下流側半分の領域の走査電極２６及びデータ電極３２に印加する電圧を、走査方向Ｓの上流側半分の領域の走査電極２６及びデータ電極３２に印加する電圧よりも高くする。【選択図】        図２
2006235170.tif 000002
【特許請求の範囲】
【請求項１】
少なくとも一方が透光性を有する一対の基板と、予め定めた走査方向に沿って並置された複数のライン状の走査電極と当該走査電極と対向して配置された複数のライン状のデータ電極との間に画像に応じた電圧が印加されることにより、前記一対の基板間に形成された電界に応じて移動するように当該基板間に封入された少なくとも一種類の粒子群と、を備えた画像表示媒体に画像を表示させる画像表示装置であって、
粒子を移動させるべき画素に対応した前記走査電極と前記データ電極との電極間に、前記粒子を移動させるための所定電圧を印加する電圧印加手段と、
前記走査方向の上流側から下流側に向けてライン毎に、前記電極間に前記所定電圧を順次印加するよう前記電圧印加手段を制御すると共に、前記走査方向に沿って分割した分割領域のうち、前記下流側の分割領域の前記電極間に印加される所定電圧が、前記上流側の分割領域の前記電極間に印加される所定電圧よりも前記粒子が移動しやすい所定電圧となるように前記電圧印加手段を制御する制御手段と、
を備えたことを特徴とする画像表示装置。
【請求項２】
前記制御手段は、前記上流側から前記下流側に向かうに従って徐々に、前記下流側の分割領域の前記電極間に印加される所定電圧が、前記上流側の分割領域の前記電極間に印加される所定電圧よりも前記粒子が移動しやすい所定電圧となるように前記電圧印加手段を制御する
ことを特徴とする請求項１記載の画像表示装置。
【請求項３】
前記制御手段は、前記下流側の分割領域の前記電極間に印加される所定電圧の電圧値、パルス幅、及びパルス数の少なくとも一つのパラメータが、前記上流側の分割領域の前記電極間に印加される所定電圧のパラメータよりも前記粒子が移動しやすいパラメータとなるように前記電圧印加手段を制御することを特徴とする請求項１又は請求項２記載の画像表示装置。
【請求項４】
前記粒子群は、色及び帯電特性が異なる複数種類の粒子群であることを特徴とする請求項１乃至請求項３の何れか１項に記載の画像表示装置。
【発明の詳細な説明】
【技術分野】
【０００１】
本発明は、画像表示装置に係り、より詳しくは、基板間に電圧を印加することにより着色粒子を移動させて画像表示する繰り返し書換えが可能な画像表示媒体に画像を表示する画像表示装置に関する。
【背景技術】
【０００２】
従来、メモリー性を有し繰り返し書き換えが可能な画像表示媒体として、着色粒子を用いた画像表示媒体が知られている。このような画像表示媒体は、例えば一対の基板と、印加された電界により基板間を移動可能に基板間に封入されると共に、色及び帯電特性が異なる複数種類の粒子群と、を含んで構成される。
【０００３】
このような画像表示媒体では、画像に応じた電圧を一対の基板間に印加することにより粒子を移動させ、異なる色の粒子のコントラストとして画像を表示させる。なお、電圧の印加を停止した後も、ファンデルワース力や鏡像力によって粒子は基板に付着したままとなり、画像表示は維持される。
【０００４】
また、このような画像表示媒体の駆動方式として、所謂単純マトリクス方式が用いられる場合がある（例えば特許文献１及び特許文献２参照）。単純マトリクス方式では、例えば画像表示媒体の表示基板側に設けられた複数のライン状のデータ電極と、背面基板側に設けられ且つデータ電極と直交する複数のライン状の走査電極と、の各交差位置を各画素位置とする。そして、粒子を移動させるためのＯＮ電圧を走査電極に順次印加しながら、これに同期して、ＯＮ電圧が印加された走査電極に対応するラインのライン画像に応じて、粒子を移動させるべき画素のデータ電極に順次ＯＮ電圧を印加していくことにより画像を表示させる。これにより、粒子の移動が必要な画素の粒子のみを移動させて所望の画像を表示することができる。
【０００５】
この場合、走査電極及びデータ電極の両方にＯＮ電圧が印加された画素（画像部）の粒子のみが移動し、走査電極及びデータ電極の少なくとも一方に粒子の移動を禁止するＯＦＦ電圧が印加された画素（非画像部）の粒子は基本的には移動しないはずである。
【０００６】
また、このような駆動方式では、表示濃度をなるべく高くするために、非画像部の走査電極とデータ電極との電極間に印加される電圧（の絶対値）が、粒子が移動を開始しない範囲でなるべく高くなるように、走査電極及びデータ電極に印加するＯＮ電圧及びＯＦＦ電圧の値を設定するのが一般的である。
【０００７】
例えば、正に帯電した黒色粒子及び負に帯電した白色粒子を含む画像表示媒体の濃度特性が図６（Ａ）、（Ｂ）に示すような特性であった場合、電極間に印加される電圧の絶対値が７０Ｖ以下であれば粒子は移動しないはずであり、また、電極間に印加される電圧の絶対値が１４０Ｖ以上であれば十分な表示濃度が得られる。このような場合は、非画像部の電極間に印加される電圧の絶対値が７０Ｖとなるように、かつ画像部の電極間に印加される電圧の絶対値が１４０Ｖとなるように、ＯＮ電圧及びＯＦＦ電圧の値を設定する。
【特許文献１】特開２００１−３１２２２５号公報
【特許文献２】特開２００１−３３８３３号公報
【発明の開示】
【発明が解決しようとする課題】
【０００８】
しかしながら、非画像部にも上記のようにある程度高い電圧が印加されるため、非画像部における動きやすい粒子が移動し、その位置における動きやすい粒子が減少してしまう場合がある。このような動きやすい粒子は、粒子が活発に移動するきっかけとなるものであり、これが減少すると、その位置の走査電極にＯＮ電圧が印加され画像部となったときに、粒子の移動が活発に行われず、ドット不良が発生する場合がある。特に、走査方向の下流側の電極ほど電圧が印加される回数が多くなるため、それだけ動きやすい粒子が減少し、ドット不良が発生しやすくなる。
【０００９】
本発明は、上記事実に鑑みて成されたものであり、メモリー性を有する画像表示媒体に画像を表示させる際に発生するドット不良を防ぐことができる画像表示装置を提供することを目的とする。
【課題を解決するための手段】
【００１０】
上記目的を達成するために、請求項１記載の発明は、少なくとも一方が透光性を有する一対の基板と、予め定めた走査方向に沿って並置された複数のライン状の走査電極と当該走査電極と対向して配置された複数のライン状のデータ電極との間に画像に応じた電圧が印加されることにより、前記一対の基板間に形成された電界に応じて移動するように当該基板間に封入された少なくとも一種類の粒子群と、を備えた画像表示媒体に画像を表示させる画像表示装置であって、粒子を移動させるべき画素に対応した前記走査電極と前記データ電極との電極間に、前記粒子を移動させるための所定電圧を印加する電圧印加手段と、  前記走査方向の上流側から下流側に向けてライン毎に、前記電極間に前記所定電圧を順次印加するよう前記電圧印加手段を制御すると共に、前記走査方向に沿って分割した分割領域のうち、前記下流側の分割領域の前記電極間に印加される所定電圧が、前記上流側の分割領域の前記電極間に印加される所定電圧よりも前記粒子が移動しやすい所定電圧となるように前記電圧印加手段を制御する制御手段と、を備えたことを特徴とする。
【００１１】
この発明によれば、画像表示媒体は、少なくとも一方が透光性を有する一対の基板の間に、少なくとも一種類の粒子群が封入された構成である。粒子群は、一対の基板間に形成された電界に応じて基板間を移動可能に封入されている。
【００１２】
電界は、予め定めた走査方向に沿って並置された複数のライン状の走査電極と当該走査電極と対向して配置された複数のライン状のデータ電極との間に画像に応じた電圧が印加されることにより形成される。
【００１３】
なお、請求項４に記載したように、前記粒子群は、色及び帯電特性が異なる複数種類の粒子群とすることができる。この場合、色が異なる複数種類の粒子群のコントラストによって画像が表示される。なお、粒子群が１種類の場合には、例えば特開２００４−８６０９５号公報に記載された画像表示媒体を用いることができる。すなわち、背面基板の色と粒子群の色とが異なる構成とし、表示基板側に移動した粒子の色と、粒子を周辺に移動させることにより露出させた背面基板の色とのコントラストで画像を表示する画像表示媒体を用いることができる。背面基板の色を露出させる場合の電圧印加方法は、上記特開２００４−８６０９５号公報に記載された方法を用いることができる。
【００１４】
電圧印加手段は、粒子を移動させるべき画素に対応した走査電極とデータ電極との電極間に、粒子を移動させるための所定電圧を印加する。
【００１５】
制御手段は、走査方向の上流側から下流側に向けてライン毎に、電極間に所定電圧を順次印加するよう電圧印加手段を制御する。また、制御手段は、走査方向に沿って分割した分割領域のうち、下流側の分割領域の電極間に印加される所定電圧が、上流側の分割領域の電極間に印加される所定電圧よりも粒子が移動しやすい所定電圧となるように電圧印加手段を制御する。
【００１６】
上流側の分割領域を走査しているときは、下流側の分割領域の粒子は基本的には移動しないが、ある程度の電圧が印加されるため、動きやすい粒子が移動してしまう場合がある。その場合、下流側の分割領域を走査したときに粒子が十分に移動せずにドット不良が発生する場合があるが、本発明のように、下流側の分割領域の電極間に印加される所定電圧が、上流側の分割領域の電極間に印加される所定電圧よりも粒子が移動しやすい所定電圧となるように電圧印加手段を制御することにより、下流側でドット不良が発生するのを防ぐことができる。
【００１７】
なお、請求項２に記載したように、前記制御手段は、前記上流側から前記下流側に向かうに従って徐々に、前記下流側の分割領域の前記電極間に印加される所定電圧が、前記上流側の分割領域の前記電極間に印加される所定電圧よりも前記粒子が移動しやすい所定電圧となるように前記電圧印加手段を制御するようにしてもよい。すなわち、分割領域を多数設定した場合に、段階的又は連続的に所定電圧が変化するように電圧印加手段を制御する。これにより、より効果的にドット不良が発生するのを防ぐことができる。
【００１８】
また、請求項３に記載したように、前記制御手段は、前記下流側の分割領域の前記電極間に印加される所定電圧の電圧値、パルス幅、及びパルス数の少なくとも一つのパラメータが、前記上流側の分割領域の前記電極間に印加される所定電圧のパラメータよりも前記粒子が移動しやすいパラメータとなるように前記電圧印加手段を制御するようにしてもよい。すなわち、下流側の分割領域の電極間に印加される所定電圧の電圧値を、上流側のそれよりも高くしたり、下流側の分割領域の電極間に印加される所定電圧のパルス幅を、上流側のそれよりも長くしたり、下流側の分割領域の電極間に印加される所定電圧のパルス数を、上流側のそれよりも多くしたりする。これにより、ドット不良の発生具合に応じてより適切に所定電圧を印加することができる。
【発明の効果】
【００１９】
以上説明したように、本発明によれば、メモリー性を有する画像表示媒体に画像を表示させる際に発生するドット不良を防ぐことができる、という効果を有する。
【発明を実施するための最良の形態】
【００２０】
以下、図面を参照して本発明の実施の形態について詳細に説明する。
【００２１】
図１には、本実施形態に係る画像表示媒体１０の断面図を示した。画像表示媒体１０は、画像表示側である透光性を有する表示基板１２と、当該表示基板１２と所定間隔を隔てて対向する背面基板１４と、これらの基板間を所定間隔に保持するとともに、複数のセルに仕切る間隙部材１８と、各セル内に封入された帯電特性の異なる黒色粒子２０及び白色粒子２２と、で構成されている。
【００２２】
表示基板１２は、ガラス基板２４、複数のライン状の走査電極２６、及び絶縁層２８が積層された構成となっている。同様に、背面基板１４は、ガラス基板３０、複数のライン状のデータ電極３２、及び絶縁層３４が積層された構成となっている。各電極は、例えばＩＴＯ（Ｉｎｄｉｕｍ  Ｔｉｎ  Ｏｘｉｄｅ）電極で構成される。
【００２３】
図２に示すように、複数のライン状の走査電極２６は、図２において上下方向（走査方向Ｓ）に並置されると共に、図２において左右方向に並置された複数のライン状のデータ電極３２と直交するように対峙して配置される。各走査電極２６と各データ電極３２との交差位置が画素を構成する。
【００２４】
間隙部材１８は、複数の走査電極２６及びデータ電極３２を含むセル３６が複数個形成されるようマス目状の形状とされている。図２では、一例として各セル３６内に走査電極２６及びデータ電極３２が２本ずつ配置された構成、すなわち１セル当たり２×２画素の構成としている。
【００２５】
各セル３６内には、帯電特性の異なる粒子群であって、正に帯電した黒色粒子２０と負に帯電した白色粒子２２とが封入されている。このように基板間が間隙部材１８によって仕切られ、各セル３６内に粒子が封入されることにより、粒子の移動が各セル内に制限され、粒子が偏るのを防ぐことができる。なお、黒色粒子２０が負に帯電し、白色粒子２２が正に帯電された構成でもよい。各粒子は、例えば絶縁性粒子や導電性粒子等を用いることができる。
【００２６】
図１、２においては、説明の簡略化のために８行×８列の単純マトリックス構造の電極配置としているが、実際には、画像表示に必要な画素数に対応した本数の電極が各基板に形成されることはいうまでもない。すなわち、ｍ行×ｎ列分の画素が必要であれば、ｎ本の走査電極２６がガラス基板２４上に形成され、ｍ本のデータ電極３２がガラス基板３０上に形成される。
【００２７】
また、本実施の形態では、表示基板側に走査電極２６が、背面基板側にデータ電極３２が設けられた構成としているが、これとは逆に、表示基板側にデータ電極３２が、背面基板側に走査電極２６が形成された構成としてもよい。
【００２８】
また、走査電極２６及びデータ電極３２は、表示基板１２と背面基板１４とが対向する側の面ではなく、これと反対側の面にぞれぞれ形成されていてもよく、表示基板１２及び背面基板１４の外側に別個独立にそれぞれ配置されていてもよい。電極を画像表示媒体と別個独立に設ける場合には、基板を誘電性を有する部材で構成することにより、基板間に電界を形成させることができる。
【００２９】
なお、画像表示媒体１０を構成する各部材は、例えば特開２００１−３１２２５号公報に記載されたものを用いることができる。
【００３０】
このような画像表示媒体１０では、少なくとも粒子を移動させることができる電位差を基板間に発生させるのに必要な電圧であって、必要な濃度が確保できる所定電圧（例えば±１４０Ｖ）が走査電極２６とデータ電極３２との電極間に印加されると、その位置の黒色粒子２０及び白色粒子２２が基板間を移動する。例えば、データ電極３２に対して走査電極２６の電位が正となる所定電圧（例えば＋１４０Ｖ）がその電極間に印加された場合には、表示基板１２側の正に帯電した黒色粒子２０は背面基板１４側へ移動し、背面基板１４側の負に帯電した白色粒子２２は表示基板１２側へ移動する。一方、データ電極３２に対して走査電極２６の電位が負となる所定電圧（例えば−１４０Ｖ）がその電極間に印加された場合には、表示基板１２側の負に帯電した白色粒子２２は背面基板１４側へ移動し、背面基板１４側の正に帯電した黒色粒子２０は表示基板１２側へ移動する。
【００３１】
従って、粒子を移動させるべき画素に対応した位置のデータ電極３２と走査電極２６との間に正又は負の所定電圧を印加することにより、画像に応じて粒子が移動し、画像を表示させることができる。なお、電圧の印加が停止された後も、ファンデルワース力や鏡像力等により黒色粒子２０又は白色粒子２２は表示基板１２又は背面基板１４に付着したままとなり、画像表示は維持される。
【００３２】
本実施形態では、一例として、画像表示媒体１０の濃度特性が図６（Ａ）、（Ｂ）に示すような特性の場合について説明する。すなわち、データ電極３２に対して走査電極２６に印加される電圧を−１４０Ｖ又は１４０Ｖとすることにより、黒色粒子２０又は白色粒子２２が表示基板１２側へ移動して十分な濃度を得ることができると共に、データ電極３２に対して走査電極２６に印加される電圧を−７０Ｖ又は７０Ｖとすることにより、粒子の移動を禁止することができる特性である。なお、同図では、印加電圧のパルス幅が１０ｍｓｅｃ、パルス数が１の場合について示した。
【００３３】
走査電極２６及びデータ電極３２に印加するＯＮ電圧及びＯＦＦ電圧の値の設定については様々な値を設定することができるが、本実施形態では、図３（Ａ）に示すように、走査電極２６に印加する第１の走査電極用ＯＮ電圧を０Ｖに、第１の走査電極用ＯＦＦ電圧を７０Ｖに、データ電極３２に印加する第１のデータ電極用ＯＮ電圧を第１の走査電極用ＯＮ電圧の２倍の１４０Ｖに、第１のデータ電極用ＯＦＦ電圧を０Ｖにそれぞれ設定する。なお、各電圧のパルス幅は一例として１０ｍｓｅｃ、パルス数は１とする。
【００３４】
また、一例として画像表示媒体１０を全面白表示にする場合に走査電極２６に印加する走査電極用初期化電圧を１４０Ｖ、データ電極３２に印加するデータ電極用初期化電圧を０Ｖとする。
【００３５】
このようにＯＮ電圧及びＯＦＦ電圧を設定した場合、同図（Ｂ）に示すように、走査電極２６及びデータ電極３２の両方にＯＮ電圧が印加された場合、そのデータ電極３２に対する走査電極２６への印加電圧は−１４０Ｖとなり、その画素（画像部）の黒色粒子２０が表示基板１２側へ移動する。
【００３６】
また、走査電極２６に第１の走査電極用ＯＮ電圧、データ電極３２に第１のデータ電極用ＯＦＦ電圧が印加された場合、そのデータ電極３２に対する走査電極２６への印加電圧は０Ｖとなり、その画素（非画像部）の粒子は移動しない。同様に、走査電極２６に第１の走査電極用ＯＦＦ電圧、データ電極３２に第１のデータ電極用ＯＮ電圧が印加された場合、そのデータ電極３２に対する走査電極２６への印加電圧は−７０Ｖとなり、その画素の粒子は移動せず、走査電極２６に第１の走査電極用ＯＦＦ電圧、データ電極３２に第１のデータ電極用ＯＦＦ電圧が印加された場合、そのデータ電極３２に対する走査電極２６への印加電圧は７０Ｖとなり、その画素の粒子は移動しない。
【００３７】
また、本実施形態では、走査電極２６に印加する第２の走査電極用ＯＮ電圧を０Ｖに、第２の走査電極用ＯＦＦ電圧を第１の走査電極用ＯＦＦ電圧よりも高い電圧、例えば８０Ｖに、データ電極３２に印加する第２のデータ電極用ＯＮ電圧を第１のデータ電極用ＯＮ電圧よりも高い電圧、例えば１６０Ｖに、第２のデータ電極用ＯＦＦ電圧を０Ｖに設定する。なお、第１の走査電極用ＯＮ電圧と第２の走査電極用ＯＮ電圧、第１のデータ電極用ＯＦＦ電圧と第２のデータ電極用ＯＦＦ電圧は、同じ電圧であるが、異なる電圧としてもよい。なお、各電圧のパルス幅は一例として１０ｍｓｅｃ、パルス数は１とする。
【００３８】
また、詳細は後述するが、第１の走査電極用ＯＮ電圧、第１の走査電極用ＯＦＦ電圧、第１のデータ電極用ＯＮ電圧、及び第１のデータ電極用ＯＦＦ電圧は、走査方向Ｓについて上流側の上半分の領域を表示駆動する場合に各電極に印加される電圧であり、第２の走査電極用ＯＮ電圧、第２の走査電極用ＯＦＦ電圧、第２のデータ電極用ＯＮ電圧、及び第２のデータ電極用ＯＦＦ電圧は、走査方向Ｓについて下流側の下半分の領域を表示駆動する場合に各電極に印加される電圧である。
【００３９】
図４には、画像データに基づいて、画像表示媒体１０に画像を表示するための駆動装置４０の概略構成を示した。
【００４０】
駆動装置４０は、走査電極駆動回路４２、データ電極駆動回路４４、電源回路４６、４８、及び制御装置５０を含んで構成されている。
【００４１】
走査電極駆動回路４２は、各走査電極２６とそれぞれ接続され、電源回路４６から供給される各種の電圧、すなわち走査電極用初期化電圧、第１の走査電極用ＯＮ電圧、第１の走査電極用ＯＦＦ電圧、第２の走査電極用ＯＮ電圧、第２の走査電極用ＯＦＦ電圧を、制御装置５０の指示に従って各走査電極２６に各々印加する。
【００４２】
データ電極駆動回路４４は、各データ電極３２とそれぞれ接続され、電源回路４８から供給される各種の電圧、すなわちデータ電極用初期化電圧、第１のデータ電極用ＯＮ電圧、第１のデータ電極用ＯＦＦ電圧、第２のデータ電極用ＯＮ電圧、第２のデータ電極用ＯＦＦ電圧を、制御装置５０の指示に従って各データ電極３２に各々印加する。
【００４３】
制御装置５０には、画像表示媒体１０に表示させるべき画像に応じた画像データが入力される。制御装置５０は、入力された画像データに基づいて、走査対象すなわち粒子駆動対象の走査電極２６を指定するための走査電極指定信号を、走査電極駆動回路４２に出力する。また、これと同時に、その走査電極指定信号により指定された走査電極２６に対応するライン画像の画像部のデータ電極３２を指定するためのデータ電極指定信号を、データ電極駆動回路４４に出力する。
【００４４】
これにより、走査電極駆動回路４２は、制御装置５０から走査電極指定信号によって指定された走査電極２６に対して第１の走査電極用ＯＮ電圧又は第２の走査電極用ＯＮ電圧を印加すると共に、走査電極指定信号によって指定された走査電極２６以外の走査電極２６に対して第１の走査電極用ＯＦＦ電圧又は第２の走査電極用ＯＦＦ電圧を印加し、データ電極駆動回路４４は、制御装置５０からデータ電極指定信号によって指定されたデータ電極３２に対して第１のデータ電極用ＯＮ電圧又は第２のデータ電極用ＯＮ電圧を印加すると共に、データ電極指定信号によって指定されたデータ電極３２以外のデータ電極３２に対して第１のデータ電極用ＯＦＦ電圧又は第２のデータ電極用ＯＦＦ電圧を印加する。
【００４５】
これにより、制御装置５０により指定された走査電極２６とデータ電極３２との交差位置の粒子、すなわち画像部の粒子が基板間を移動し、黒色粒子２０が表示基板１２側へ白色粒子２２が背面基板１４側へ移動する。また、非画像部の粒子は基板間を移動しない。これを各ライン、すなわち各走査電極２６について実行することにより、画像を表示することができる。
【００４６】
次に、制御装置５０で実行される処理、すなわち電圧印加シーケンスについて説明する。なお、以下では、図２に示すように、走査電極２６及びデータ電極３２を各８本ずつ備えた画像表示媒体１０、すなわち８×８個の画素（４×４個のセル３６）を有する画像表示媒体１０に画像を表示させる場合について説明する。
【００４７】
まず、制御装置５０は、画像表示媒体１０を初期化、すなわち全面白表示とするべく、全ての走査電極２６に走査電極用初期化電圧を印加するよう走査電極駆動回路４２に指示すると共に、全てのデータ電極３２にデータ電極用初期化電圧を印加するようデータ電極駆動回路４４に指示する。これにより、基板間の全ての白色粒子２２が表示基板１２側へ移動すると共に、全ての黒色粒子２０が背面基板１４側に移動し、全面白表示となる。
【００４８】
次に、制御装置５０は、１行目の走査電極２６（図２において一番上の走査電極２６）に第１の走査電極用ＯＮ電圧を印加するよう走査電極指定信号を走査電極駆動回路４２に出力すると共に、１行目のライン画像に対応したライン画像データに基づいて、画像部すなわち黒色粒子２０を表示基板１２側に移動させるべき画素のデータ電極３２に第１のデータ電極用ＯＮ電圧を印加するようデータ電極指定信号をデータ電極駆動回路４４に出力する。
【００４９】
これにより、走査電極駆動回路４２は、１行目の走査電極２６に第１の走査電極用ＯＮ電圧を印加すると共に他の走査電極２６に第１の走査電極用ＯＦＦ電圧を印加し、データ電極駆動回路４４は、画像部のデータ電極３２に第１のデータ電極用ＯＮ電圧を印加すると共に、非画像部のデータ電極３２に第１のデータ電極用ＯＦＦ電圧を印加する。
【００５０】
このため、１行目の画像部の黒色粒子２０が表示基板１２側へ移動すると共に白色粒子２２が背面基板１４側へ移動する。非画像部については、走査電極２６及びデータ電極３２の少なくとも一方にＯＦＦ電圧が印加されるため、粒子は移動しない。
【００５１】
同様の処理を２行目の走査電極２６から４行目の走査電極２６まで順次実行することにより、１〜４行目まで順次ライン画像が表示され、走査方向Ｓの上流側半分の領域に画像が表示される。
【００５２】
そして、制御装置５０は、５行目の走査電極２６に第２の走査電極用ＯＮ電圧を印加するよう走査電極指定信号を走査電極駆動回路４２に出力すると共に、５行目のライン画像に対応したライン画像データに基づいて、画像部のデータ電極３２に第２のデータ電極用ＯＮ電圧を印加するようデータ電極指定信号をデータ電極駆動回路４４に出力する。
【００５３】
これにより、走査電極駆動回路４２は、５行目の走査電極２６に第２の走査電極用ＯＮ電圧を印加すると共に他の走査電極２６に第２の走査電極用ＯＦＦ電圧を印加し、データ電極駆動回路４４は、画像部のデータ電極３２に第２のデータ電極用ＯＮ電圧を印加すると共に、非画像部のデータ電極３２に第２のデータ電極用ＯＦＦ電圧を印加する。
【００５４】
このため、５行目の画像部の黒色粒子２０が表示基板１２側へ移動すると共に白色粒子２２が背面基板１４側へ移動する。非画像部については、走査電極２６及びデータ電極３２の少なくとも一方にＯＦＦ電圧が印加されるため、粒子は移動しない。
【００５５】
同様の処理を６行目の走査電極２６から８行目の走査電極２６まで順次実行することにより、５〜８行目まで順次ライン画像が表示され、走査方向Ｓの下流側半分の領域に画像が表示される。
【００５６】
前述したように、走査方向Ｓの上流側から下流側へ向けて順次走査していくと徐々に下流側の移動しやすい粒子が減少し、その領域でドット不良が発生しやすくなるが、本実施形態では、走査方向Ｓの上流側半分の領域と下流側半分の領域とで、各電極に印加する電圧の値を切り替え、下流側半分の領域に印加する電圧を、上流側半分の領域に印加する電圧よりも高い電圧としている。このため、下流側を走査したときに十分に粒子を移動させることができ、ドット不良が発生するのを防ぐことができる。逆に、下流側はそれだけ粒子が移動しにくくなっているので、非画像部にある程度高い電圧を印加しても粒子が移動することがなく、非画像部の粒子が移動することにより画質が劣化するかぶりが生じることもない。
【００５７】
なお、本実施形態では、走査方向Ｓの下流側半分の領域に印加する電圧を上流側半分の領域に印加する電圧よりも高くする場合について説明したが、これに限らず、電圧の値及びパルス数は上流側半分の領域に印加する電圧と同一とし、下流側半分の領域に印加する電圧のパルス幅を上流側半分の領域に印加する電圧のパルス幅よりも長くする（例えば１５ｍｓｅｃにする）ようにしてもよい。また、電圧の値及びパルス幅は上流側半分の領域に印加する電圧と同一とし、下流側半分の領域に印加する電圧のパルス数を上流側半分の領域に印加する電圧のパルス数よりも多くする（例えばパルス数を２にする）ようにしてもよい。さらに、下流側半分の領域に印加する電圧の値、パルス幅、パルス数の２つ以上を、上流側半分の領域に印加する電圧のそれよりも高くしたり長くしたり多くしたりしてもよい。
【００５８】
また、本実施形態では、画像表示媒体を走査方向Ｓの上流側と下流側とに分割し、印加する電圧の値を各分割領域で切り替える場合について説明したが、これに限らず、さらに細かく分割し、上流側から下流側に向けて徐々に印加する電圧を高くするようにしてもよい。なお、分割の仕方は等分割でもよいし、等分割でなくてもよい。例えば上流側から下流側に向けて分割領域が徐々に大きくなるようにしてもよいし、徐々に小さくなるようにしてもよい。
【００５９】
図５には、本発明者らが表示駆動パラメータ（電圧値、パルス幅、パルス数）を変えて走査方向の上流領域と下流領域とでかぶり及びドット不良の発生状況を実験した結果を示した。なお、パターン２〜４は、パターン１と比較してそれぞれ電圧値、パルス幅、パルス数を変更している。
【００６０】
図５に示すように、パターン１では下流領域でドット不良が発生し、パターン２〜４では、上流領域でかぶりが生じる。なお、パターン２〜４の場合に上流領域でかぶりが生じるのは、上流領域では動きやすい粒子が減少しておらず、電圧値を高くしたりパルス幅を長くしたりパルス数を多くしたりすると、非画像部の粒子で移動してしまう粒子がでてくるためである。
【００６１】
従って、本実施形態のように、走査方向の上流領域では表示駆動パラメータをパターン１とし、走査方向の下流領域ではパターン２〜４の何れかとすることにより、上流領域でかぶりが生じるのを防ぐことができると共に、下流領域でドット不良が発生するのを防ぐことができる。
【図面の簡単な説明】
【００６２】
【図１】画像表示媒体の断面図である。
【図２】電極の配置及び間隙部材の形状を示す平面図である。
【図３】（Ａ）は各電極に印加するＯＮ電圧及びＯＦＦ電圧について説明するための図、（Ｂ）は、各電極にＯＮ電圧又はＯＦＦ電圧を印加したときの各位置に印加される電圧について説明するための図である。
【図４】画像表示装置の概略構成図である。
【図５】表示駆動パラメータと表示品質との関係を示す表である。
【図６】（Ａ）は白表示から黒表示するときの濃度特性を示す線図、（Ｂ）は黒表示から白表示するときの濃度特性を示す線図である。
【符号の説明】
【００６３】
１０      画像表示媒体
１２      表示基板
１４      背面基板
１８      間隙部材
２０      黒色粒子
２２      白色粒子
２４、３０      ガラス基板
２６      データ電極
２８、３４      絶縁層
３２      走査電極
３６      セル
４０      駆動装置
４２      走査電極駆動回路（電圧印加手段）
４４      データ電極駆動回路（電圧印加手段）
４６、４８      電源回路
５０      制御装置（制御手段）
【図１】
2006235170.tif 000003
【図２】
2006235170.tif 000004
【図３】
2006235170.tif 000005
【図４】
2006235170.tif 000006
【図５】
2006235170.tif 000007
【図６】
2006235170.tif 000008